(57)【要約】【目的】従来ギターを、椅子座で、棹側を高く保持して演奏するときの演奏姿勢は、右足を広く開き、上体を棹側に向けて前傾してギターを抱持する、体に不自然な演奏姿勢で合った。また足を広く開く演奏姿勢は、女性にふさわしくない演奏姿勢でもあった。本考案は、ギターを、右足を広く開かずに、自然に背筋を伸ばした椅子座の姿勢で、棹側を高く保持して演奏できるギターの支持具をギター奏者に提供する。【構成】ももの上面が内接する曲板の台板１上に支柱２を立設し、その支柱２の上端に、吸着力を強化した吸着具５を載設する。【選択図】      図１
2004295054.tif 000002
【特許請求の範囲】
【請求項１】
内面が、ももの上面に合う曲面の板で形成された台板１上に、支柱２を立設し、その支柱２の上端に、軟質弾性質の素材でなる吸盤本体４に押圧盤３を被蓋し、吸着力強化の手段を係着してなる吸着具５を載設してなるギターの支持具。
【発明の詳細な説明】
【０００１】
【発明の属する技術分野】
本発明は、椅子座でギターを、棹側を高く保持して演奏するためのギターの支持具に関する。
【０００２】
【従来の技術】
従来、椅子座で、ギターを棹側を高く保持して演奏するための補助具に、図６に示す、左足を載せる足台３１。および図７に示すギターの支持具３２があった。
足台３１は、一般に高さが調節できる折畳み式の台が使われた。
ギターの支持具３２は、内面がももの上面に合う曲面の板で形成された台板３３の上に伸縮調節できる構造の支柱３４を立設していて、その支柱３４の上端に、ギターを挟着するクランプ３５を着設したものであった、
【０００３】
そのクランプ３５は、後部の板３６上に前部の板３７を重ねて、ねじ３８、３８で前後に摺動自在に螺着していて、長ねじ３９を回して、前部の板３７を前後に摺動させる構造であった。
後部の板３６の後縁および前部の板３７の前縁の両端に、ギターを挟む爪４０、４０および４０、４０を上方に突設していて、それらの爪に軟質プラスチックのクッション４１、４１および４１、４１が被着されていて、クランプ３５の裏面中央に、支柱３４の上端を挿着する短ソケット４２を下方に突設したものであった。
【０００４】
以上のギターの支持具３２は、ギターの側板にクランプ３５を挟着して、ギターの側方に突設して使用した。
【０００５】
【発明が解決しようとする課題】
足台３１を使った椅子座のギターの演奏姿勢は、足台に３１に左足を載せて左もも高くして、右足を広く開き、左のももにギターの側板のくぼみを当接し、右の内ももにギターの下部を受けて、ギターを棹側を高くして保持し、上体を棹側に向け前傾して、ギターを抱持した演奏姿勢であった。
【０００６】
上体を棹側に向け前傾して、ギターを抱持する演奏姿勢は、生理的に不自然な姿勢で、足を広く開く演奏姿勢は女性にふさわしくない演奏姿勢であった。
【０００７】
またギターに、ギターの支持具３２を突設したギターの椅子座の演奏姿勢も、右足を広く開き、台板３３を左ももの上に載せ、右ももでギターの下部を受け、上体をギターの棹側に向けて前傾して、ギターを抱持する演奏姿勢であった。
【０００８】
この演奏姿勢は、左足を上げない分、足台３１の腰、脊柱にかかる影響を軽減したが、右足を広く開く演奏姿勢は、女性にふさわしくない演奏姿勢であった。
【０００９】
またギターに、ギターの支持具３２が挟着できる範囲は、胴のくぼみ付近の狭い範囲で、演奏中に両ひざの間隔が変わると、支柱３４のてこの作用で、ギターからクランプ３５が外れやすいので、クランプ３５を過度に締めつけ、演奏中両ひざの間隔を、できるだけ変わらないようにしなければならなかった。
【００１０】
【課題を解決するための手段】
本発明を、図１の実施例１で説明すると、台１１は、内面がももの上面に合う曲面の板でなる台板１の上に、ブラケット１２または図５に示す雲台１３を介して文柱２を立設し、その支柱２の上端に、吸着力を強化する手段を形設した吸着具５を載設したもので、支柱２は、中空軸１４と、その中空部に挿入した軸１５からなり、中空軸１４の上部に設けたねじ１６で挿入した軸１５を駐止する、伸縮調節が可能な構造である。
【００１１】
なお台板１の平面形は、多角形、糸巻き形。楕円形、小判型等、任意であるが、台板１に形成する曲面の軸方向の巾が狭いと、保持したギターの前後の変位に順応しやすく、支柱２を、台板１の台板１中心より、ギターの下部方向に寄せて突設すると、ももの上に載せた台板１は安定する。
【００１２】
吸着具５の吸盤本体４は、周縁または周縁近接部の全周に、押圧盤３のフランジ６が当接するフランジの座７を形成していて、中心に茸形の突軸８を、軸を外側に突出させて植設し、その突軸８の先端近接部に、カム９を枢設する軸受の穴を穿設している。
【００１３】
押圧盤３は、周縁にフランジ６が周設されたハット型で、中央に突軸８を遊挿する孔が穿設されていて、側面に支柱２の上端を止着するソケット１０を突設している。なお、押圧盤３の深さは、カム９で引き上げた吸盤本体４の、突軸８が突出する側の面が当接しない深さにしている。
【００１４】
吸着具５は、吸盤本体４の突軸８を、押圧盤３の孔に通して、押圧盤３を吸盤本体４に被蓋して、カム９を枢設したものである。
【００１５】
【発明の実施の形態】
本発明のギターの支持具Ａをギターに装着するときは、演奏者は椅子座して、台１１を左ももの上に立て、ギターを演奏時のように棹側を高く保持したとき、吸着具５がギターの裏面板に当接した位置に、吸着具５を吸着してからギターを演奏するように構え、カム８のレバーを倒している場合は、レバーを起こして台板１がギターから突出する方向を、支柱２を回して調節し、支柱２の長さを再調節してカム９のレバーを倒し、吸着具５をギターに確実に吸着させて演奏する。
【００１６】
ギターの支持具Ａを外すときは、カム９のレバーを起こして、吸着具５の吸着力を弱めて外す。
なお右足を退いて、右ももを下げると、ギターの棹が傾く角度が大きくなる。
【００１７】
【実施例２】
図２に示す実施例２は、吸盤本体５の突軸８に雄ねじ１７を形成し、その雄ねじ１７に、雌ネジを形成したつまみ１８を螺着した吸着具５である。
この吸着具５は、吸着力調節可能な吸着具５で、つまみ１８の雌ネジを締めて吸着力を強め、つまみ１８の雌ネジをゆるめて吸着力を弱めて外す。
【００１８】
【実施例３】
図３の右に示す実施例３は、支柱２が短かいギターの支持具Ｂである。
ギターの上部に、支柱２が長いギターの支持具Ａを突設して左ももの上で支え、その下部に支柱２が短いギターの支持具Ｂを突設して、右ももの上で支え、ギターを、両ももの上で支えると、保持したギターはさらに安定して、さらに弾きやすくなり、保持したギターの左右の位置の幅が広くなる。
【００１９】
【実施例４】
図４に示す実施例４は、支柱２が単軸のギターの支持具Ｃである。
吸着具５は、ギターの裏面の任意な位置に吸着できるから、ギターが弾きやすい位置に吸着具を吸着し、台板１の突軸８周りの方向を修正してから、カム８のレバーを倒して、吸着具５をギターの裏面板に確実に吸着させれば、ギターの支持具Ｃを、ギターが弾きやすい位置方向に突設できる。
【００２０】
【発明の効果】
本発明のギターの支持具を装着したギターは、背筋を伸ばした自然な椅子座の姿勢でギターを演奏できるようになって、足の開きの多少の変化で、ギターの支持具Ａ、Ｂ、Ｃがギターから外れることがなくなった。
従って、足台３１および従来のギターの支持具３２のように、従来、上体を棹側に向け、前傾してギターを抱持する不自然な演奏姿勢は改善され、女性は優雅な姿勢で演奏できるようになッた。
【００２１】
図３に示す、長い支柱２のギターの支持具Ａと、短い支柱２のギターの支持具Ｂを併用して、ギターを両ももの上で支えると、ギターはさらに安定して弾きやすく、図３に示すように、保持するギターの左右の位置の巾が広い。
【００２２】
カム９を具設した、図１、図３、図４、図５のギターの支持具Ａ，Ｂ、Ｃは、レバーの操作で着脱できるから、従来のギターの支持具の、長ねじ３９を回して着脱するより素速く着脱できる。
吸着具５は簡単な構造であるから、低コストに製作できる。
【図面の簡単な説明】
【図１】実施例１のギターの支持具の、一部断面の側面図である。
【図２】突軸にねじを形成し、つまみに雌ネジを形成した吸着具の、一部断面の側面図である。
【図３】ギターの裏面板に、ギターの支持具Ａと、支柱が短いギターの支持具Ｂを並設したギターの背面図である。
【図４】支柱が単軸のギターの支持具の側面図である。
【図５】雲台を介して支柱を突設したギターの支持具である。
【図６】足台の斜視図である。
【図７】従来のギターの支持具の斜視図である。
【符号の説明】
Ａ  ギターの支持具
Ｂ  支柱が短いギターの支持具
Ｃ  支柱が単軸のターの支持具
１  台板
２  支柱
３  押圧盤
３  押圧盤
４  吸盤本体
５  吸着具
６  フランジ
７  フランジの座
８  突軸
９  カム
１０  ソケット
１１  台
１２  ブラケット
１３  雲台
１４  中空軸
１５  軸
１６  ねじ
１７  雄ねじを形成した突軸
１８  雌ネジを形成したつまみ
３１  足台
３２  （従来の）ギターの支持具
３３  台板
３４  支柱
３５  クランプ
３６  後部の板
３７  前部の板
３８  ねじ
３９  長ねじ
４０  爪
４１  クッション
４２  短ソケット
４３  止めねじ
４４  台
【図１】
2004295054.tif 000003
【図２】
2004295054.tif 000004
【図３】
2004295054.tif 000005
【図４】
2004295054.tif 000006
【図５】
2004295054.tif 000007
【図６】
2004295054.tif 000008
【図７】
2004295054.tif 000009